(57)【要約】【課題】過電流によりヒューズ部が溶断しても、発煙、焼損、及び溶断部材と周囲の部材との短絡を抑制することができる電力変換装置を提供する。【解決手段】電力変換装置１は、電力用半導体素子１４と、電極配線部材１３と、筐体３０と、電極配線部材１３に形成されたヒューズ部１６と、ヒューズ部１６と筐体３０との間に配置されたヒューズ樹脂部材２６と、電力用半導体素子１４、電極配線部材１３、ヒューズ部１６、及びヒューズ樹脂部材２６を筐体３０内に封止する封止樹脂部材２５と、を備え、筐体３０は、ヒューズ部１６と対向する部分に、ヒューズ部１６から離れる側に窪む凹部１２ｂを備え、ヒューズ樹脂部材２６の一部又は全部は、凹部１２ｂ内に配置されている。【選択図】図３
2019047549.tif 000002
【特許請求の範囲】
【請求項１】
電力用半導体素子と、
前記電力用半導体素子の主電極に接続された電極配線部材と、
筐体と、
前記電極配線部材に形成された、ヒューズとして機能するヒューズ部と、
前記ヒューズ部と前記筐体との間に配置された樹脂部材であるヒューズ樹脂部材と、
前記電力用半導体素子、前記電極配線部材、前記ヒューズ部、及び前記ヒューズ樹脂部材を前記筐体内に封止する樹脂部材である封止樹脂部材と、を備え、
前記筐体は、前記ヒューズ部と対向する部分に、前記ヒューズ部から離れる側に窪む凹部を備え、
前記ヒューズ樹脂部材の一部又は全部は、前記凹部内に配置されている電力変換装置。
【請求項２】
前記電力用半導体素子、及び前記電極配線部材としての電極用リードフレームは、樹脂部材である素子モールド樹脂により封止された半導体素子モジュールとされ、
前記ヒューズ部は、前記素子モールド樹脂から外側に突出した前記電極用リードフレームの部分に形成されている請求項１に記載の電力変換装置。
【請求項３】
前記ヒューズ部は、電流の流れ方向の前後の部分よりも断面積が小さくなった前記電極配線部材の部分により構成されている請求項１又は２に記載の電力変換装置。
【請求項４】
前記ヒューズ樹脂部材は、前記ヒューズ部の前記筐体側とは反対側にも配置されている請求項１から３のいずれか一項に記載の電力変換装置。
【請求項５】
前記ヒューズ樹脂部材は、前記ヒューズ部の周囲を全周に亘って覆うように、配置されている請求項１から４のいずれか一項に記載の電力変換装置。
【請求項６】
前記ヒューズ樹脂部材は、前記封止樹脂部材よりもヤング率が低い請求項１から５のいずれか一項に記載の電力変換装置。
【請求項７】
前記ヒューズ樹脂部材のヤング率は、数十メガパスカルのオーダーである請求項１から６のいずれか一項に記載の電力変換装置。
【請求項８】
前記ヒューズ樹脂部材には、前記ヒューズ部が溶断した時に生じるアーク放電の消弧作用があるシリコン樹脂が用いられている請求項１から７のいずれか一項に記載の電力変換装置。
【請求項９】
前記電極配線部材は、前記凹部の内側に配置されるように折れ曲がった屈曲部を有し、前記屈曲部に前記ヒューズ部が形成されており、
前記ヒューズ部は、前記ヒューズ樹脂部材により前記凹部の内側に封止されている請求項１から８のいずれか一項に記載の電力変換装置。
【請求項１０】
前記筐体は、底部が金属製のヒートシンクにより構成された有底筒状に形成され、前記凹部は、前記ヒートシンクに形成され、
前記ヒューズ樹脂部材は、前記ヒューズ部材と前記ヒートシンクとの間に配置されている請求項１から９のいずれか一項に記載の電力変換装置。
【発明の詳細な説明】
【技術分野】
【０００１】
この発明は、電力用半導体素子が筐体内に樹脂部材により封止された電力変換装置に関するものである。
【背景技術】
【０００２】
近年、自動車業界において、ハイブリッド自動車や電気自動車等、モータを駆動力源にする車両が盛んに開発されている。モータを駆動するインバータ装置は、バッテリを電源として、モータに高電圧の駆動電力を供給する。また、インバータ装置には、樹脂封止型の電力用半導体装置が用いられており、パワーエレクトロニクスの分野において、電力変換装置は、キーデバイスとしての重要性がますます高まっている。
【０００３】
ここで、インバータ装置に用いられる電力用半導体素子は、他の構成部品とともに樹脂封止されている。こうした電力変換装置において、バッテリから電力が供給された状態で、電力用半導体素子やスナバ回路を構成する平滑コンデンサ等の電子部品が短絡故障すると、過大な短絡電流が流れる。例えば、インバータ制御回路におけるゲート駆動回路の誤動作により、インバータの上下アームが短絡すると、電力用半導体素子に過電流が流れ、短絡故障が発生する。
【０００４】
短絡状態でバッテリとモータ駆動回路とを繋ぐリレーを接続するか、または接続を継続すると、大電流により電力変換装置が発煙及び焼損する。また、定格を超える過電流が流れることにより、モータ駆動用インバータ装置に接続されているバッテリが損害を受けることも考えられる。こうした事態を回避するために、通常は過電流を検知するセンサを用いて、過電流が流れた場合に、電力用半導体素子のスイッチングを高速に制御して電流を遮断している。しかしながら、電力用半導体素子が短絡故障した場合でも、上述した発煙等の故障モードをより確実に防ぐことが望まれる。
【０００５】
具体的には、例えば、電力用半導体装置とバッテリとの間に過電流遮断用ヒューズを挿入すれば、モータ駆動用インバータ装置とバッテリとの間に流れる過電流を阻止することができる。
【０００６】
しかし、チップ型の過電流遮断用ヒューズは高価である。そのため、安価でありながら、電力用半導体素子が短絡故障した場合に、バッテリに流れ得る過電流を確実に遮断することができる過電流遮断手段が必要とされている。例えば、下記の特許文献１では、半導体装置から外部に突出している外部接続用電極を切除し、断面積を小さくすることで、ヒューズ部を形成している。
【先行技術文献】
【特許文献】
【０００７】
【特許文献１】特開２００５−１７５４３９号公報
【発明の概要】
【発明が解決しようとする課題】
【０００８】
しかしながら、特許文献１の技術では、外部接続用電極に設けられたヒューズ部は、半導体装置の外部に露出している。そのため、ヒューズ部が過電流により溶断する際に、装置外に煙が流出するおそれがあり、また、周囲に火花が飛び散り、外気を用いた燃焼反応により装置が焼損するおそれがある。また、溶断したヒューズ部の部材が周囲に飛散し、外部接続用電極と周囲の部材とが短絡するおそれがある。また、気体は熱伝導率が低いため、ヒューズ部に発生した熱が、外気に放出されず、半導体素子に伝達され、半導体素子を損傷するおそれがある。
【０００９】
そこで、過電流によりヒューズ部が溶断しても、発煙、焼損、及び溶断部材による周囲の部材との短絡を抑制することができる電力変換装置が望まれる。
【課題を解決するための手段】
【００１０】
この発明に係る電力変換装置は、電力用半導体素子と、前記電力用半導体素子の主電極に接続された電極配線部材と、筐体と、前記電極配線部材に形成された、ヒューズとして機能するヒューズ部と、前記ヒューズ部と前記筐体との間に配置された樹脂部材であるヒューズ樹脂部材と、前記電力用半導体素子、前記電極配線部材、前記ヒューズ部、及び前記ヒューズ樹脂部材を前記筐体内に封止する樹脂部材である封止樹脂部材と、を備え、前記筐体は、前記ヒューズ部と対向する部分に、前記ヒューズ部から離れる側に窪む凹部を備え、前記ヒューズ樹脂部材の一部又は全部は、前記凹部内に配置されているものである。
【発明の効果】
【００１１】
本発明に係る電力変換装置によれば、電極配線部材にヒューズ部が形成されるので、高価なチップ型のヒューズが設けられず、ヒューズ部のコストを低減することができる。封止樹脂部材により、ヒューズ部及びヒューズ樹脂部材が覆われるので、溶断したヒューズ部の部材が、外部に飛散することを防止できる。また、ヒューズ部及びヒューズ樹脂部材を外気から遮断することができるので、溶断時に生じたアーク放電による燃焼反応が進行することを抑制でき、また、溶断時に生じた煙が外部に漏れ出ることを抑制できる。ヒューズ部と筐体との間にヒューズ樹脂部材が配置されているので、溶断したヒューズ部の部材が、筐体に接触することを抑制し、電極配線部材と筐体とが短絡することを抑制できる。また、溶断する際にヒューズ部に発生した熱を、ヒューズ樹脂部材を介して筐体に伝達して冷却することができ、発生熱による電力用半導体素子、封止樹脂部材等の損傷を抑制できる。また、ヒューズ部専用のヒューズ樹脂部材が設けられているので、ヒューズ部の溶断に適した材質の樹脂部材を選定することができ、溶断時の絶縁性能、冷却性能を向上させることができる。
【００１２】
ヒューズ樹脂部材を凹部により位置決めすることができ、ヒューズ樹脂部材の配置位置の精度を向上させることができる。例えば、硬化前に流動性があるヒューズ樹脂部材を用いる場合でも、凹部にヒューズ樹脂部材を溜めることができ、流動によりヒューズ樹脂部材の位置がずれることを抑制できる。或いは、既に硬化しているヒューズ樹脂部材を配置する場合でも、ヒューズ樹脂部材を凹部に係止することができ、封止樹脂部材を筐体に注入する際に、ヒューズ樹脂部材の位置がずれることを防止できる。よって、ヒューズ樹脂部材による溶断時の絶縁性能及び冷却性能が変動することを抑制できる。また、凹部を設けることにより、ヒューズ部とヒートシンクとの間隔を広げて、ヒューズ樹脂部材の厚みを増し、ヒューズ樹脂部材による絶縁性を適切に確保することができる。例えば、ヒューズ部が形成される電極配線部材とヒートシンクとの間隔が、絶縁性を確保するには狭い場合に、凹部を設けることにより間隔を広げて絶縁性を確保することができる。また、凹部の深さを調節することにより、ヒューズ樹脂部材のヤング率等の材質に合わせて、絶縁性が適切に得られるようにできる。したがって、過電流によりヒューズ部が溶断しても、発煙、焼損、及び溶断部材による周囲の部材との短絡を抑制することができる。
【図面の簡単な説明】
【００１３】
【図１】本発明の実施の形態１に係る電力変換装置の平面図である。
【図２】本発明の実施の形態１に係る図１のＢ−Ｂ断面位置で切断した電力変換装置の断面図である。
【図３】本発明の実施の形態１に係る図１のＡ−Ａ断面位置で切断した電力変換装置の断面図である。
【図４】本発明の実施の形態１に係るヒューズ部の電流密度を説明するための模式図である。
【図５】本発明の実施の形態１に係るヒューズ部の形状のバリエーションを説明する模式図である。
【図６】本発明の実施の形態１に係るヒューズ部の形状のバリエーションを説明する模式図である。
【図７】本発明の実施の形態２に係る図１のＡ−Ａ断面位置で切断した電力変換装置の断面図である。
【図８】本発明の実施の形態３に係る図１のＡ−Ａ断面位置で切断した電力変換装置の断面図である。
【発明を実施するための形態】
【００１４】
実施の形態１．
実施の形態１に係る電力変換装置１について図面を参照して説明する。図１は、電力変換装置１を、筐体３０の開口側から見た平面図であり、各部品の配置を説明するために封止樹脂部材２５が透明化され、図示されていない。図２は、図１のＢ−Ｂ断面位置において切断した断面図であり、図３は、図１のＡ−Ａ断面位置において切断した断面図である。なお、図１、図２、及び図３は、模式図であり、図面間で各部材の寸法は完全に一致していない。
【００１５】
電力変換装置１は、電力用半導体素子１４と、電力用半導体素子１４の主電極に接続された電極配線部材１３と、筐体３０と、電力用半導体素子１４等の各部品を筐体３０内に封止する樹脂部材である封止樹脂部材２５と、を備えている。
【００１６】
＜筐体３０＞
筐体３０は、有底筒状に形成されており、封止樹脂部材２５を注型する枠の役割を有する。なお、以下で、単に「内」「内側」又は「外」「外側」というときは、筐体３０の内側又は外側を意味するものとする。「縦方向」は、筐体３０の筒部が延出している方向を意味するものとし、「横方向」は、筐体３０の底部が延在している方向を意味するものとする。
【００１７】
筐体３０の底部は、金属製のヒートシンク１２により構成されている。ヒートシンク１２は、電力用半導体素子１４に発生する熱を外部に放熱する役割を有する。ヒートシンク１２は、例えば、アルミニウム、アルミニウム合金などの２０Ｗ／（ｍ・Ｋ）以上の熱伝導率を有する材料が用いられる。ヒートシンク１２は、矩形の平板状に形成されている。電力用半導体素子１４側の部材と対向するヒートシンク１２の内面部分には、内側に突出する平板状の素子対向突出部１２ａが設けられており、素子対向突出部１２ａの内面が、電力用半導体素子１４側の部材に当接する。ヒートシンク１２の外面には、図２に示すように、互いに間隔を空けて配列された平板状の複数のフィン１９が設けられている。フィン１９は外気に接触しており、ヒートシンク１２はこれらのフィン１９から外気に向かって熱を放熱する。なお、水冷式とされてもよい。
【００１８】
ヒートシンク１２は、後述するヒューズ部１６と対向する部分に、ヒューズ部１６から離れる側（外側）に窪む凹部１２ｂを備えている。図１及び図３に示すように、凹部１２ｂは、縦方向に見て、ヒューズ部１６の面積より広い面積に形成されている。すなわち、縦方向に見て、凹部１２ｂの形成領域は、ヒューズ部１６の形成領域を覆っている。凹部１２ｂは、直方体状に形成されている。なお、凹部１２ｂは、円柱状等、任意の形状に形成されてもよい。
【００１９】
筐体３０の筒部は、絶縁ケース１１により構成されている。絶縁ケース１１は、絶縁性が高く、熱可塑性を有する任意の樹脂材料、例えば、ポリブチレンテレフタレート（ＰＢＴ）、ポリフェニレンサルファイド（ＰＰＳ）、ポリエーテルエーテルケトン（ＰＥＥＫ）等の樹脂材料を用いて形成される。
【００２０】
＜電力用半導体素子１４、電極配線部材１３＞
本実施の形態では、電力用半導体素子１４、及び電極配線部材１３としての電極用リードフレーム１３は、樹脂部材である素子モールド樹脂２０により封止され、パッケージ化された半導体素子モジュール２９とされている。また、電力用半導体素子１４の制御用端子に接続された制御用リードフレーム２１も素子モールド樹脂２０により封止されている。電極用リードフレーム１３及び制御用リードフレーム２１は、素子モールド樹脂２０から外側に突出している。素子モールド樹脂２０は、内部の素子及び配線を守るために、数ＧＰａのヤング率を有する硬い樹脂が用いられるとよく、例えば、エポキシ樹脂が用いられる。
【００２１】
電力用半導体素子１４には、パワーＭＯＳＦＥＴ（Metal Oxide Semiconductor Field Effect Transistor）が用いられている。なお、電力用半導体素子１４には、ダイオードが逆並列接続されたパワーＩＧＢＴ（Insulated Gate Bipolar Transistor）等の他の種類のスイッチング素子が用いられてもよい。電力用半導体素子１４は、例えば、車両駆動用のモータなどの機器を駆動するインバータ回路、コンバータ回路に用いられるものであり、数アンペアから数百アンペアの定格電流を制御するものである。電力用半導体素子１４の材料として、シリコン（Ｓｉ）、シリコンカーバイド（ＳｉＣ）、ガリウムナイトライド（ＧａＮ）などが用いられてもよい。
【００２２】
電力用半導体素子１４は、矩形平板のチップ状に形成されており、ヒートシンク１２側の面に主電極としてのドレーン端子が設けられ、筐体３０のヒートシンク１２とは反対側の面に主電極としてのソース端子が設けられている。また、筐体３０のヒートシンク１２とは反対側の面に、制御用端子としてのゲート端子が設けられている。なお、制御用端子として、主電極間を流れる電流を検出するためのセンサ端子等が設けられてもよい。
【００２３】
ドレーン端子は、正極側の電極用リードフレーム１３ａに接続され、ソース端子は、電極用配線部材１５ａを介して、負極側の電極用リードフレーム１３ｂに接続されている。電極用配線部材１５ａには大電流が流れるため、例えば金・銀・銅・アルミニウムの板材を加工したものや、ワイヤボンド、リボンボンドで形成される。ゲート端子及びセンサ端子は、制御用配線部材１５ｂを介して、制御用リードフレーム２１に接続されている。制御用配線部材１５ｂは、例えば、金・銅・アルミニウムなどのワイヤボンド、または、アルミニウムのリボンボンドで形成することができる。
【００２４】
正極側及び負極側の電極用リードフレーム１３ａ、１３ｂは、平板状に形成されている。電力用半導体素子１４の主電極に接続される電極用リードフレーム１３ａ、１３ｂの電極接続部分は、電力用半導体素子１４よりもヒートシンク１２側に配置されている。正極側の電極用リードフレーム１３ａの電極接続部分のヒートシンク１２とは反対側の面は、導電性接合材１７により、電力用半導体素子１４のヒートシンク１２側の面のドレーン端子に接合されている。負極側の電極用リードフレーム１３ｂの電極接続部分のヒートシンク１２とは反対側の面は、導電性接合材１７により、Ｌ字状に形成された電極用配線部材１５ａの一端に接合されている。電力用半導体素子１４のヒートシンク１２とは反対側の面のソース端子は、導電性接合材１７により、電極用配線部材１５ａの他端に接合されている。導電性接合材１７は、例えば、半田、銀ペースト、あるいは、導電性接着剤などの、導電性が良好で熱伝導率の高い材料から構成される。
【００２５】
電極用リードフレーム１３ａ、１３ｂの電極接続部分のヒートシンク１２側の面は、素子モールド樹脂２０により覆われておらず、半導体素子モジュール２９の外側に露出している。この電極用リードフレーム１３ａ、１３ｂの露出部分は、シート状に形成された絶縁部材１８を介して、ヒートシンク１２の素子対向突出部１２ａの内面に接している。電力用半導体素子１４の発熱が、電極用リードフレーム１３ａ、１３ｂの電極接続部分、及び絶縁部材１８を介して、ヒートシンク１２に伝達される。絶縁部材１８は、熱伝導性が高く、且つ、電気的絶縁性が高い材料から構成される。従って、絶縁部材１８は、例えば、熱伝導率が数Ｗ／（ｍ・Ｋ）〜数十Ｗ／（ｍ・Ｋ）であり、且つ、絶縁性のある、シリコン樹脂、エポキシ樹脂、ウレタン樹脂などの樹脂材料から成る接着剤、グリス、又は絶縁シートで構成される。さらに、絶縁部材１８は、セラミック基板または金属基板などの熱抵抗が低く、且つ、絶縁性を有する他の材料と、樹脂材料とを、組み合わせて構成することも可能である。
【００２６】
また、絶縁部材１８の厚さを規定するために、素子モールド樹脂２０のヒートシンク１２側には、突起２０ａが設けられている。素子モールド樹脂２０の突起２０ａをヒートシンク１２に押し当てることで、突起２０ａの高さにより、絶縁部材１８の厚さを規定することができ、絶縁部材１８の絶縁性及び伝熱性を管理することができる。例えば、１２Ｖバッテリを使用する低耐圧系の自動車では、予め定められた絶縁耐圧を確保するのに必要な沿面距離は、１０μｍ程度である。従って、低耐圧系の自動車の場合には、絶縁に必要な厚さを薄くできるため、素子モールド樹脂２０の突起２０ａを短くすることができ、電力変換装置１の薄型化が可能である。絶縁部材１８が剛性を持ち、押圧による厚さの変化が小さい材料の場合、絶縁部材１８の厚さを管理できるため、素子モールド樹脂２０の突起２０ａはなくてもよい。
【００２７】
突起２０ａにより、素子モールド樹脂２０に封止された電極用リードフレーム１３ａ、１３ｂと、ヒートシンク１２との間の間隔を管理することができ、後述する負極側の電極用リードフレーム１３ｂに形成されたヒューズ部１６と、ヒートシンク１２との間に配置されるヒューズ樹脂部材２６の厚みを管理することができ、両者の間の熱伝導性及び絶縁性を管理することができる。
【００２８】
正極側の電極用リードフレーム１３ａは、素子モールド樹脂２０から突出した後、ヒートシンク１２の内面と間隔を空けた状態で、ヒートシンク１２の内面に沿って横方向に延出し、その後、屈曲し、ヒートシンク１２から離れる側（筐体３０の開口側）に縦方向に延出している。ヒートシンク１２の内面と間隔を空けた状態で横方向に延出している部分を、正極側の横方向延出部１３ａ１と称し、ヒートシンク１２から離れる側に縦方向に延出している部分を、正極側の縦方向延出部１３ａ２と称す。正極側の横方向延出部１３ａ１とヒートシンク１２との間隔は、絶縁部材１８の厚さとヒートシンク１２の素子対向突出部１２ａの高さとを合計した距離に相当している。正極側の横方向延出部１３ａ１に後述するヒューズ部１６が形成されている。
【００２９】
正極側の縦方向延出部１３ａ２が、絶縁ケース１１にインサート及びアウトサートされた正極側の外部接続端子１０ａに、溶接又は半田付け等により接合される。正極側の外部接続端子１０ａは、正極側の縦方向延出部１３ａ２に接合される、縦方向に延出している部分と、筐体３０の外部に向かって横方向に延出している部分とを有している。筐体３０から外部に突出した部分が、直流電源の正極等の他の装置に接続される。
【００３０】
負極側の電極用リードフレーム１３ｂも、素子モールド樹脂２０から突出した後、ヒートシンク１２の内面と間隔を空け、ヒートシンク１２の内面に沿って延出している負極側の横方向延出部１３ｂ１と、ヒートシンク１２から離れる側に延出している負極側の縦方向延出部１３ｂ２とを備えている。正極側の横方向延出部１３ａ１の長さは、ヒューズ部１６を形成するために、負極側の横方向延出部１３ｂ１よりも長くなっている。
【００３１】
負極側の縦方向延出部１３ｂ２が、絶縁ケース１１にインサート及びアウトサートされた負極側の外部接続端子１０ｂに、溶接又は半田付け等により接合される。負極側の外部接続端子１０ｂは、負極側の縦方向延出部１３ｂ２に接合される、縦方向に延出している部分と、筐体３０の外部に向かって横方向に延出している部分とを有している。筐体３０から外部に突出した部分が、直流電源の負極等の他の装置に接続される。
【００３２】
電極用リードフレーム１３ａ、１３ｂ、外部接続端子１０ａ、１０ｂには、導電性が良好で熱伝導率の高い銅または銅合金などの金属が用いられ、数アンペアから数百アンペア程度の大電流が流れる。電極用リードフレーム１３ａ、１３ｂの表面はＡｕ、Ｎｉ、Ｓｎなどの金属材料でめっきされていてもよい。
【００３３】
制御用リードフレーム２１は、筐体３０の開口側に、封止樹脂部材２５から突出しており、電力用半導体素子１４のオンオフを制御する制御装置に接続される。
【００３４】
＜ヒューズ部１６＞
電極配線部材１３には、ヒューズとして機能するヒューズ部１６が形成されている。本実施の形態では、ヒューズ部１６は、素子モールド樹脂２０から外側に突出した電極用リードフレーム１３の部分（本例では、正極側の横方向延出部１３ａ１）に形成されている。ヒューズ部１６を電極用リードフレーム１３に形成することによって、追加部材が必要なく、コストを低減できる。本例では、ヒューズ部１６が電極用リードフレーム１３の横方向延出部に形成されるため、ヒューズ部１６の形成のために、電極用リードフレーム１３がヒートシンク１２から離れる方向（高さ方向）に長くなることを抑制し、電力変換装置１の高さが高くなることを抑制できる。また、ヒューズ部１６が正極側の電極用リードフレーム１３ａに形成されるため、電力用半導体素子１４の上流側で電流を遮断することができる。そのため、電力用半導体素子１４と筐体３０との短絡など、電力用半導体素子１４の回路異常が生じている場合でも、その上流側で電流を遮断し、過電流が生じないようにできる。
【００３５】
ヒューズ部１６は、電流の流れ方向の前後の部分よりも断面積が小さくなった電極配線部材１３の部分により構成されている。すなわち、ヒューズ部１６は、ヒューズ部１６よりも電流の流れ方向の前側（上流側）及び後側（下流側）の部分よりも、断面積が小さくなっている。図４に示すように電極用リードフレーム１３に過電流が流れた際に、前後よりも断面積が小さいヒューズ部１６の電流密度が大きくなり、ヒューズ部１６が局所的に温度上昇して溶断することで、過電流を遮断する。ヒューズ部１６は電気伝導性が高い金、銀、銅、アルミニウムによって構成される。ヒューズ部１６は電極用リードフレーム１３の他の部分と同じ材料でもよく、異なる材料が用いられてもよい。なお、これに限定されないが、ヒューズ部１６は、電極用リードフレーム１３の他の部分と同様に、０．５ｍｍ〜１．５ｍｍ程度の厚みを有する銅または銅合金からなる平板を、打ち抜き加工することによって形成することができる。
【００３６】
ヒューズ部１６の形状は、断面積を減少させる形状であればどのような形状であってもよい。例えば、図５、図６に示すように、片側又は両側に切欠き、又は内側に貫通孔を設けて断面積を減らしてもよい。切欠き又は貫通孔の形状は、矩形以外にも三角形、五角形、台形、ひし形、平行四辺形、円形、楕円形等の任意の形状とされてもよい。切欠き又は貫通孔は、１個に限らず、複数個設けられてもよい。また、複数の切欠き又は貫通孔が、配線の長さ方向の異なる位置に、千鳥状に互い違い、又は不規則に配置されてもよい。複数の貫通孔が、配線の幅方向でも、長さ方向でもどちらに並べられてもよい。
【００３７】
＜ヒューズ樹脂部材２６＞
ヒューズ部１６と筐体３０（本例では、ヒートシンク１２）との間には、樹脂部材であるヒューズ樹脂部材２６が配置されている。ヒューズ樹脂部材２６の一部は、ヒートシンク１２に形成された凹部１２ｂ内に配置されている。すなわち、ヒューズ樹脂部材２６の一部は、凹部１２ｂ内に充填され、ヒューズ樹脂部材２６の残りの部分は、凹部１２ｂからヒューズ部１６に向かって突出している。
【００３８】
図１及び図３に示すように、凹部１２ｂと同様に、ヒューズ樹脂部材２６は、縦方向に見て、ヒューズ部１６の面積より広い面積に配置されている。すなわち、縦方向に見て、ヒューズ樹脂部材２６の配置領域は、ヒューズ部１６の形成領域を覆っている。ヒューズ樹脂部材２６は、ヒューズ部１６のヒートシンク１２側の面に接すると共に、ヒートシンク１２の凹部１２ｂの内面に接している。
【００３９】
封止樹脂部材２５が筐体３０内に充填される前に、ヒューズ樹脂部材２６がヒューズ部１６と筐体３０との間に配置される。ヒューズ樹脂部材２６は、電気的絶縁性が高い、シリコン樹脂、エポキシ樹脂、ウレタン樹脂などの樹脂材料から成る接着剤、グリス、又は絶縁シートで構成される。ヒューズ樹脂部材２６は、例えば、熱や水分によって硬化したり、２液以上を混合することによって硬化したりする材料でもよい。さらに、ヒューズ樹脂部材２６は、セラミック基板または金属基板などの熱抵抗が低く、且つ、絶縁性を有する他の材料と、それらの樹脂材料とを、組み合わせて構成することも可能である。ヒューズ樹脂部材２６は電気絶縁性が高い材料であれば、例えば、熱伝導率が１Ｗ／（ｍ・Ｋ）〜数十Ｗ／（ｍ・Ｋ）の高熱伝導率を有する材料でもよい。
【００４０】
ヒューズ部１６と筐体３０との間にヒューズ樹脂部材２６を設けることにより、溶断したヒューズ部１６の部材が、ヒートシンク１２に接触することを抑制し、電極配線部材１３とヒートシンク１２とが短絡することを抑制できる。また、溶断する際にヒューズ部１６に発生した熱を、ヒューズ樹脂部材２６を介してヒートシンク１２に伝達して冷却することができ、発生熱による電力用半導体素子１４、封止樹脂部材２５等の損傷を抑制できる。また、ヒューズ部１６専用のヒューズ樹脂部材２６が設けられているので、ヒューズ部１６の溶断に適した材質の樹脂部材を選定することができ、溶断時の絶縁性能、冷却性能を向上させることができる。
【００４１】
また、ヒューズ樹脂部材２６を凹部１２ｂにより位置決めすることができ、ヒューズ樹脂部材２６の配置位置の精度を向上させることができる。例えば、硬化前に流動性があるヒューズ樹脂部材２６を用いる場合でも、凹部１２ｂにヒューズ樹脂部材２６を溜めることができ、流動によりヒューズ樹脂部材２６の位置がずれることを抑制できる。或いは、既に硬化しているヒューズ樹脂部材２６を配置する場合でも、ヒューズ樹脂部材２６を凹部１２ｂに係止することができ、封止樹脂部材２５を筐体３０に注入する際に、ヒューズ樹脂部材２６の位置がずれることを防止できる。よって、ヒューズ樹脂部材２６による溶断時の絶縁性能及び冷却性能が変動することを抑制できる。
【００４２】
また、凹部１２ｂを設けることにより、ヒューズ部１６とヒートシンク１２との間隔を広げて、ヒューズ樹脂部材２６の厚みを増し、ヒューズ樹脂部材２６による絶縁性を適切に確保することができる。例えば、ヒューズ部１６が形成される正極側の電極用リードフレーム１３ａとヒートシンク１２との間隔が、絶縁性を確保するには狭い場合に、凹部１２ｂを設けることにより間隔を広げて絶縁性を確保することができる。また、凹部１２ｂの深さを調節することにより、ヒューズ樹脂部材２６のヤング率等の材質に合わせて、絶縁性が適切に得られるようにできる。
【００４３】
本実施の形態では、ヒューズ樹脂部材２６は、封止樹脂部材２５よりもヤング率が低い樹脂部材が用いられている。例えば、ヒューズ樹脂部材２６のヤング率は数十ＭＰａ（メガパスカル）のオーダーとされ（例えば、１０ＭＰａから３０ＭＰａの間の値）、例えば、ゴム材、シリコンゴム、シリコンゲルが用いられるとよい。この構成によれば、ヒューズ部１６が溶断する際に、複数の球状の塊になって飛び散る溶融部材を、封止樹脂部材２５よりもヤング率が低く、柔らかいヒューズ樹脂部材２６内にめり込ませ、ヒューズ樹脂部材２６内に分散して保持することができる。よって、溶断後、溶融した部材により、通電経路が維持されることを防止し、速やかに通電経路を切断することができる。また、溶融した部材により、ヤング率が高い封止樹脂部材２５が割れることを抑制できる。
【００４４】
ヒューズ樹脂部材２６には、ヒューズ部１６が溶断した時に生じるアーク放電の消弧作用があるシリコン樹脂が用いられるとよい。この構成によれば、ヒューズ部が溶断した後も、アーク放電により通電が継続されることを抑制し、溶断後、速やかに電流を遮断することができる。よって、電力用半導体素子１４、封止樹脂部材２５等の損傷を抑制することができる。
【００４５】
＜封止樹脂部材２５＞
封止樹脂部材２５は、電力用半導体素子１４、電極配線部材１３、ヒューズ部１６、及びヒューズ樹脂部材２６を筐体３０内に封止する樹脂部材である。本実施の形態では、封止樹脂部材２５は、半導体素子モジュール２９を筐体３０内に封止するように構成されている。また、封止樹脂部材２５は、絶縁部材１８、外部接続端子１０ａ、１０ｂ等の他の構成部品も筐体３０内に封止している。封止樹脂部材２５は、例えば剛性が高く、熱伝導率が高い樹脂材料が用いられる。封止樹脂部材２５には、例えば熱伝導性フィラーを含有したエポキシ樹脂、シリコン樹脂、ウレタン樹脂、ＰＰＳ、ＰＥＥＫ、ＡＢＳにて構成されていてもよい。封止樹脂部材２５のヤング率は１ＭＰａ〜５０ＧＰａ、熱伝導率は０．１Ｗ／（ｍ・Ｋ）〜２０Ｗ／（ｍ・Ｋ）であるとよい。各構成部品を封止樹脂部材２５により封止することによって、耐振動性や耐環境性を向上させることができる。
【００４６】
封止樹脂部材２５により、ヒューズ部１６及びヒューズ樹脂部材２６が覆われるので、溶断したヒューズ部１６の部材が、外部に飛散することを防止できる。ヒューズ部１６及びヒューズ樹脂部材２６を外気から遮断することができるので、溶断時に生じたアーク放電による燃焼反応が進行することを抑制でき、また、溶断時に生じた煙が外部に漏れ出ることを抑制できる。
【００４７】
実施の形態２．
次に、実施の形態２に係る電力変換装置１について説明する。上記の実施の形態１と同様の構成部分は説明を省略する。本実施の形態に係る電力変換装置１の基本的な構成は実施の形態１と同様であるが、ヒューズ樹脂部材２６の構成が一部異なる。図７は、図１のＡ−Ａ断面位置において切断した本実施の形態に係る電力変換装置１の断面図である。
【００４８】
実施の形態１と同様に、筐体３０（本例では、ヒートシンク１２）は、ヒューズ部１６と対向する部分に、ヒューズ部１６から離れる側に窪む凹部１２ｂを備えている。ヒューズ樹脂部材２６は、ヒューズ部１６と筐体３０（ヒートシンク１２）との間に配置されている。ヒューズ樹脂部材２６の一部は、筐体３０（ヒートシンク１２）に形成された凹部１２ｂ内に配置されている。実施の形態１とは異なり、ヒューズ樹脂部材２６は、ヒューズ部１６の筐体３０側（ヒートシンク１２側）とは反対側にも配置されている。すなわち、ヒューズ樹脂部材２６は、ヒューズ部１６の筐体３０側及び筐体３０側とは反対側の両側に配置されている。ここで、筐体３０側とは反対側は、ヒートシンク１２から離れる側、筐体３０の開口側となる。この構成によれば、溶断したヒューズ部１６の部材が、封止樹脂部材２５に接触することを抑制し、封止樹脂部材２５が損傷することを抑制できる。
【００４９】
また、ヒューズ樹脂部材２６に、封止樹脂部材２５よりもヤング率が低い樹脂部材が用いられる場合は、筐体３０側とは反対側でも、溶融部材を柔らかいヒューズ樹脂部材２６内に保持することができ、通電経路の切断をより確実に行うことができると共に、溶融部材によりヤング率が高い封止樹脂部材２５が割れることをより確実に抑制できる。
【００５０】
また、ヒューズ樹脂部材２６に消弧作用があるシリコン樹脂が用いられる場合は、筐体３０側とは反対側にもヒューズ樹脂部材２６を配置することにより、アーク放電の消弧作用をより高めることができ、溶断後、より速やかに電流を遮断することができる。
【００５１】
本実施の形態では、ヒューズ樹脂部材２６は、ヒューズ部１６の両横側にも配置されており、ヒューズ部１６の周囲を全周に亘って覆うように配置されている。この構成によれば、ヒューズ樹脂部材２６による封止樹脂部材２５の損傷の抑制作用、通電経路の切断の確実性、消弧作用等をより高めることができる。
【００５２】
実施の形態３．
次に、実施の形態３に係る電力変換装置１について説明する。上記の実施の形態１と同様の構成部分は説明を省略する。本実施の形態に係る電力変換装置１の基本的な構成は実施の形態１と同様であるが、ヒートシンク１２及びヒューズ樹脂部材２６の構成が一部異なる。図８は、図１のＡ−Ａ断面位置において切断した本実施の形態に係る電力変換装置１の断面図である。
【００５３】
実施の形態１と同様に、筐体３０（本例では、ヒートシンク１２）は、ヒューズ部１６と対向する部分に、ヒューズ部１６から離れる側に窪む凹部１２ｂを備えている。ヒューズ樹脂部材２６は、ヒューズ部１６と筐体３０（ヒートシンク１２）との間に配置されている。
【００５４】
しかし、実施の形態１とは異なり、ヒューズ樹脂部材２６の全部が、筐体３０（ヒートシンク１２）に形成された凹部１２ｂ内に配置されている。なお、ヒューズ樹脂部材２６の一部が、凹部１２ｂから溢れて、凹部１２ｂの外側に配置されてもよい。
【００５５】
電極配線部材１３（本例では、正極側の電極用リードフレーム１３ａ）は、凹部１２ｂの内側に配置されるように折れ曲がった屈曲部３１を有し、屈曲部３１にヒューズ部１６が形成されている。屈曲部３１は、横方向に延びている正極側の横方向延出部１３ａ１の途中の部分が、凹部１２ｂ側に向かってコの字状に折れ曲がった部分とされている。すなわち、屈曲部３１は、横方向延出部１３ａ１の途中の二つの部分から、ヒートシンク１２側（凹部１２ｂの底側）に向かって縦方向に延びる２つの側部３１ａ、３１ｂと、横方向に延びて、２つの側部３１ａ、３１ｂの先端を繋ぐ１つの接続部３１ｃから構成されている。接続部３１ｃ、及び２つの側部３１ａ、３１ｂの先端部は、凹部１２ｂの内側に配置される。屈曲部３１と凹部１２ｂとの間には間隔が空けられている。接続部３１ｃにヒューズ部１６が形成されている。接続部３１ｃは、２つの側部３１ａ、３１ｂ及び横方向延出部１３ａ１よりも断面積が小さくなっている。
【００５６】
ヒューズ部１６は、ヒューズ樹脂部材２６により凹部１２ｂの内側に封止されている。例えば、ヒューズ部１６が、凹部１２ｂの内側に配置されている状態で、凹部１２ｂの内側にヒューズ樹脂部材２６が充填される。この構成によれば、凹部１２ｂの内側で、ヒューズ部１６を全周に亘って、ヒューズ樹脂部材２６により覆うことができ、溶断時の絶縁性能、冷却性能を向上させることができる。特に、溶断時に発生したヒューズ部１６の熱を、ヒューズ樹脂部材２６を介して周囲を取り囲むヒートシンク１２の凹部１２ｂに伝達することができ、冷却性能を向上させることができる。また、ヒューズ樹脂部材２６を凹部１２ｂに溜めることができるため、ヒューズ樹脂部材２６に流動性が高く、ヤング率の低い部材を用いることが容易になり、絶縁性能を高めることができる。
【００５７】
〔その他の実施形態〕
最後に、本発明のその他の実施の形態について説明する。なお、以下に説明する各実施の形態の構成は、それぞれ単独で適用されるものに限られず、矛盾が生じない限り、他の実施の形態の構成と組み合わせて適用することも可能である。
【００５８】
（１）上記の各実施の形態においては、電力用半導体素子１４、及び電極配線部材１３としての電極用リードフレーム１３が、樹脂部材である素子モールド樹脂２０により封止された半導体素子モジュール２９とされている場合を例として説明した。しかし、本発明の実施の形態はこれに限定されない。すなわち、電力用半導体素子１４、及び電極配線部材１３が、素子モールド樹脂２０により封止されておらず、パッケージ化されていなくてもよい。すなわち、素子モールド樹脂２０に封止されていない状態の、電力用半導体素子１４及び電極配線部材１３等が、封止樹脂部材２５により筐体３０内に封止されてもよい。この場合は、電極配線部材１３は、バスバー等とされ、ヒューズ部１６は、封止樹脂部材２５に封止されている正極側又は負極側の電極配線部材の部分に形成されてもよい。
【００５９】
（２）上記の各実施の形態においては、ヒューズ部１６は、正極側の電極用リードフレーム１３ａ（横方向延出部１３ａ１）に形成されている場合を例として説明した。しかし、本発明の実施の形態はこれに限定されない。すなわち、ヒューズ部１６は、電力用半導体素子１４の主電極に接続され、封止樹脂部材２５に封止された電極配線部材１３の部分であれば、いずれの箇所に形成されてもよい。例えば、ヒューズ部１６は、負極側の電極用リードフレーム１３ｂの横方向延出部１３ｂ１、正極側の縦方向延出部１３ａ２又は負極側の縦方向延出部１３ｂ２、或いは、正極側又は負極側の外部接続端子１０ａ、１０ｂに形成されてもよい。
【００６０】
（３）上記の各実施の形態においては、電力変換装置１が、１つの電力用半導体素子１４（スイッチング素子）を設けている場合を例として説明した。しかし、本発明の実施の形態はこれに限定されない。すなわち、電力変換装置１が、複数の電力用半導体素子を設けていてもよい。例えば、２つのスイッチング素子が、正極側の電極配線部材と負極側の電極配線部材との間に直列接続され、正極側又は負極側の電極配線部材にヒューズ部１６が形成されてもよい。また、正極側の電極配線部材と負極側の電極配線部材との間に、２つのスイッチング素子の直列回路が、複数組並列接続されたブリッジ回路とされ、各組の直列回路の電極配線部材に、ヒューズ部１６が設けられてもよい。また、電力用半導体素子１４の一部又は全部が、ダイオードとされてもよい。
【００６１】
なお、本発明は、その発明の範囲内において、各実施の形態を自由に組み合わせたり、各実施の形態を適宜、変形、省略したりすることが可能である。
【符号の説明】
【００６２】
１  電力変換装置、１２ｂ  凹部、１３  電極配線部材、１４  電力用半導体素子、１６  ヒューズ部、２０  素子モールド樹脂、２５  封止樹脂部材、２６  ヒューズ樹脂部材、２９  半導体素子モジュール、３０  筐体、３１  屈曲部
【図１】
2019047549.tif 000003
【図２】
2019047549.tif 000004
【図３】
2019047549.tif 000005
【図４】
2019047549.tif 000006
【図５】
2019047549.tif 000007
【図６】
2019047549.tif 000008
【図７】
2019047549.tif 000009
【図８】
2019047549.tif 000010
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
電力用半導体素子と、
前記電力用半導体素子の主電極に接続された電極配線部材と、
筐体と、
前記電極配線部材に形成された、ヒューズとして機能するヒューズ部と、
前記ヒューズ部と前記筐体との間に配置された樹脂部材であるヒューズ樹脂部材と、
前記電力用半導体素子、前記電極配線部材、前記ヒューズ部、及び前記ヒューズ樹脂部材を前記筐体内に封止する樹脂部材である封止樹脂部材と、を備え、
前記筐体は、前記ヒューズ部と対向する部分に、前記ヒューズ部から離れる側に窪む凹部を備え、
前記ヒューズ樹脂部材の一部又は全部は、前記凹部内に配置され、
前記電極配線部材は、前記凹部の内側に配置されるように折れ曲がった屈曲部を有し、前記屈曲部に前記ヒューズ部が形成されており、
前記ヒューズ部は、前記ヒューズ樹脂部材により前記凹部の内側に封止されている電力変換装置。
【請求項２】
前記電力用半導体素子、及び前記電極配線部材としての電極用リードフレームは、樹脂部材である素子モールド樹脂により封止された半導体素子モジュールとされ、
前記ヒューズ部は、前記素子モールド樹脂から外側に突出した前記電極用リードフレームの部分に形成されている請求項１に記載の電力変換装置。
【請求項３】
前記ヒューズ部は、電流の流れ方向の前後の部分よりも断面積が小さくなった前記電極配線部材の部分により構成されている請求項１又は２に記載の電力変換装置。
【請求項４】
前記ヒューズ樹脂部材は、前記ヒューズ部の前記筐体側とは反対側にも配置されている請求項１から３のいずれか一項に記載の電力変換装置。
【請求項５】
前記ヒューズ樹脂部材は、前記ヒューズ部の周囲を全周に亘って覆うように、配置されている請求項１から４のいずれか一項に記載の電力変換装置。
【請求項６】
前記ヒューズ樹脂部材は、前記封止樹脂部材よりもヤング率が低い請求項１から５のいずれか一項に記載の電力変換装置。
【請求項７】
前記ヒューズ樹脂部材のヤング率は、数十メガパスカルのオーダーである請求項１から６のいずれか一項に記載の電力変換装置。
【請求項８】
前記ヒューズ樹脂部材には、前記ヒューズ部が溶断した時に生じるアーク放電の消弧作用があるシリコン樹脂が用いられている請求項１から７のいずれか一項に記載の電力変換装置。
【請求項９】
前記筐体は、底部が金属製のヒートシンクにより構成された有底筒状に形成され、前記凹部は、前記ヒートシンクに形成され、
前記ヒューズ樹脂部材は、前記ヒューズ部と前記ヒートシンクとの間に配置されている請求項１から８のいずれか一項に記載の電力変換装置。
【手続補正２】
【補正対象書類名】明細書
【補正対象項目名】００１０
【補正方法】変更
【補正の内容】
【００１０】
この発明に係る電力変換装置は、電力用半導体素子と、前記電力用半導体素子の主電極に接続された電極配線部材と、筐体と、前記電極配線部材に形成された、ヒューズとして機能するヒューズ部と、前記ヒューズ部と前記筐体との間に配置された樹脂部材であるヒューズ樹脂部材と、前記電力用半導体素子、前記電極配線部材、前記ヒューズ部、及び前記ヒューズ樹脂部材を前記筐体内に封止する樹脂部材である封止樹脂部材と、を備え、前記筐体は、前記ヒューズ部と対向する部分に、前記ヒューズ部から離れる側に窪む凹部を備え、前記ヒューズ樹脂部材の一部又は全部は、前記凹部内に配置され、前記電極配線部材は、前記凹部の内側に配置されるように折れ曲がった屈曲部を有し、前記屈曲部に前記ヒューズ部が形成されており、前記ヒューズ部は、前記ヒューズ樹脂部材により前記凹部の内側に封止されているものである。